(57)【要約】【課題】記憶媒体に記憶されている情報のセキュリティを向上させることが可能な携帯電子機器を提供すること。【解決手段】計時部８０は、着脱検出部７０によりバッテリリッド２ｃが外されたことが検出された場合、時間の計測を開始する。判定部１０２は、時間設定部１０１により設定された経過時間Ｔ１以内に操作キー群１１により暗証番号等の暗証情報が入力されたか否かを判定する。アクセス制御部１０３は、カード４０ａへのアクセスを制御する。すなわち、アクセス制御部１０３は、判定部１０２により経過時間Ｔ１以内に暗証情報が入力されたと判定された場合、カード４０ａへのアクセスを可能な状態に維持する。また、アクセス制御部１０３は、判定部１０２により経過時間Ｔ１以内に暗証情報が入力されなかったと判定された場合、カード４０ａへのアクセスを制限する。【選択図】図５
2011250129.tif 000002
【特許請求の範囲】
【請求項１】
開口部を有する筐体と、
暗証情報を入力可能な入力部と、
前記開口部に収容可能に構成され、着脱可能な記憶媒体と、
前記開口部に収容可能に構成され、前記開口部に収容された状態で前記記憶媒体を外部から隠蔽する第１のバッテリと、
該第１のバッテリを覆うバッテリリッドと、
該バッテリリッドの前記筐体に対する着脱を検出する着脱検出部と、
該着脱検出部により前記バッテリリッドが外されたことが検出された場合、時間の計測を開始する計時部と、
該計時部により計時される前記バッテリリッドが外されてからの経過時間以内に前記入力部により前記暗証情報が入力されたか否かを判定する判定部と、
前記経過時間を予め設定する時間設定部と、
前記判定部により前記経過時間以内に前記暗証情報が入力されたと判定された場合、前記記憶媒体へのアクセスを可能な状態に維持し、前記判定部により前記経過時間以内に前記暗証情報が入力されないと判定された場合、前記記憶媒体へのアクセスを制限するアクセス制御部と、
前記筐体内に配設された第２のバッテリとを備え、
前記アクセス制御部は、前記バッテリリッドが外され、かつ、前記経過時間以内に前記第１のバッテリが外された場合、前記第２のバッテリの電力を用いて前記記憶媒体へのアクセスを制御する携帯電子機器。
【請求項２】
開口部を有する筐体と、
暗証情報を入力可能な入力部と、
前記開口部を覆うカバー部材と、
前記筐体内に収容可能に構成される記憶媒体と、
前記筐体内に収容可能に構成される第１のバッテリと、
前記カバー部材の前記筐体に対する着脱を検出する着脱検出部と、
該着脱検出部により前記カバー部材が外されたことが検出された場合、時間の計測を開始する計時部と、
該計時部により計時される前記カバー部材が外されてからの経過時間以内に前記入力部により前記暗証情報が入力されたか否かを判定する判定部と、
前記経過時間を予め設定する時間設定部と、
前記判定部により前記経過時間以内に前記暗証情報が入力されたと判定された場合、前記記憶媒体へのアクセスを可能な状態に維持し、前記判定部により前記経過時間以内に前記暗証情報が入力されないと判定された場合、前記記憶媒体へのアクセスを制限するアクセス制御部と、
前記筐体内に配設された第２のバッテリとを備え、
前記アクセス制御部は、前記カバー部材が外され、かつ、前記経過時間以内に前記第１のバッテリが外された場合、前記第２のバッテリの電力を用いて前記記憶媒体へのアクセスを制御する携帯電子機器。
【請求項３】
前記開口部を介して外部インターフェースに接続される外部インターフェース接続部と、
前記外部インターフェース接続部への前記外部インターフェースの着脱を検出する外部インターフェース着脱検出部とを更に備え、
前記アクセス制御部は、前記外部インターフェース着脱検出部により出力される外部インターフェースの着脱を検出する検出信号に応じて、前記記憶媒体へのアクセスを制御する請求項２に記載の携帯電子機器。
【請求項４】
前記時間設定部により設定された前記経過時間よりも短い所定時間が経過した場合、前記経過時間に到達する直前であることを報知する報知部を更に備える請求項１から３のいずれか一項に記載の携帯電子機器。
【請求項５】
前記アクセス制御部は、前記記憶媒体に記憶されている情報のうち一部の情報へのアクセスを制限する請求項１から４のいずれか一項に記載の携帯電子機器。
【請求項６】
前記アクセス制御部は、前記記憶媒体に記憶されている情報へのアクセスを全て制限する、又は前記記憶媒体に記憶されている情報を全て消去する請求項１から４のいずれか一項に記載の携帯電子機器。
【発明の詳細な説明】
【技術分野】
【０００１】
本発明は、記憶媒体を有する携帯電子機器に関する。
【背景技術】
【０００２】
従来、携帯電話機等の携帯電子機器は、各種情報を記憶するための記憶媒体を有している。記憶媒体としては、携帯電子機器の内部に設けられる内部記憶媒体と、携帯電子機器から着脱可能な外部記憶媒体とが挙げられる。このような携帯電子機器において記憶媒体に記憶されている情報を保護するための技術が提案されている（例えば、特許文献１及び２参照）。
【０００３】
特許文献１に記載のシステムは、携帯可能な外部記憶媒体と、外部記憶媒体と無線通信する携帯電子機器とを有し、外部記憶媒体は、タイマ時間を設定するタイマ時間設定手段と、携帯電子機器からの起動コマンドに応じて設定したタイマ時間の計時動作を開始し、タイマ時間がタイムアップしたか否かを判定するタイマ時間監視判定手段と、タイマ時間がタイムアップしたと判定された場合、外部記憶媒体に記憶されている情報を消去する制御手段とを備える。
【０００４】
特許文献２に記載の情報機器の補助記憶装置は、情報機器からの取外しを検出した時に、情報機器からの不正な取外しか否か判断する不正判断部と、不正取外しであると判断した時に、記憶部の情報保護動作を実行するセキュリティ処理部とを備える。
【先行技術文献】
【特許文献】
【０００５】
【特許文献１】特開２００６−３３０９４９号公報
【特許文献２】特開平１１−１７５４０６号公報
【発明の概要】
【発明が解決しようとする課題】
【０００６】
しかし、特許文献１に記載のシステムでは、タイマの設定時間によっては記憶媒体に記憶されている情報が漏洩する可能性があり、充分にセキュリティが保てない可能性があった。また、特許文献２に記載の情報機器の補助記憶装置では、タイマ等を設定していないため、充分にセキュリティが保てない可能性があった。
【０００７】
本発明は、記憶媒体に記憶されている情報のセキュリティを向上させることが可能な携帯電子機器を提供することを目的とする。
【課題を解決するための手段】
【０００８】
本発明に係る携帯電子機器は、上記課題を解決するために、開口部を有する筐体と、暗証情報を入力可能な入力部と、前記開口部に収容可能に構成され、着脱可能な記憶媒体と、前記開口部に収容可能に構成され、前記開口部に収容された状態で前記記憶媒体を外部から隠蔽する第１のバッテリと、該第１のバッテリを覆うバッテリリッドと、該バッテリリッドの前記筐体に対する着脱を検出する着脱検出部と、該着脱検出部により前記バッテリリッドが外されたことが検出された場合、時間の計測を開始する計時部と、該計時部により計時される前記バッテリリッドが外されてからの経過時間以内に前記入力部により前記暗証情報が入力されたか否かを判定する判定部と、前記経過時間を予め設定する時間設定部と、前記判定部により前記経過時間以内に前記暗証情報が入力されたと判定された場合、前記記憶媒体へのアクセスを可能な状態に維持し、前記判定部により前記経過時間以内に前記暗証情報が入力されないと判定された場合、前記記憶媒体へのアクセスを制限するアクセス制御部と、前記筐体内に配設された第２のバッテリとを備え、前記アクセス制御部は、前記バッテリリッドが外され、かつ、前記経過時間以内に前記第１のバッテリが外された場合、前記第２のバッテリの電力を用いて前記記憶媒体へのアクセスを制御する。
【０００９】
本発明に係る携帯電子機器は、上記課題を解決するために、開口部を有する筐体と、暗証情報を入力可能な入力部と、前記開口部を覆うカバー部材と、前記筐体内に収容可能に構成される記憶媒体と、前記筐体内に収容可能に構成される第１のバッテリと、前記カバー部材の前記筐体に対する着脱を検出する着脱検出部と、該着脱検出部により前記カバー部材が外されたことが検出された場合、時間の計測を開始する計時部と、該計時部により計時される前記カバー部材が外されてからの経過時間以内に前記入力部により前記暗証情報が入力されたか否かを判定する判定部と、前記経過時間を予め設定する時間設定部と、前記判定部により前記経過時間以内に前記暗証情報が入力されたと判定された場合、前記記憶媒体へのアクセスを可能な状態に維持し、前記判定部により前記経過時間以内に前記暗証情報が入力されないと判定された場合、前記記憶媒体へのアクセスを制限するアクセス制御部と、前記筐体内に配設された第２のバッテリとを備え、前記アクセス制御部は、前記カバー部材が外され、かつ、前記経過時間以内に前記第１のバッテリが外された場合、前記第２のバッテリの電力を用いて前記記憶媒体へのアクセスを制御する。
【００１０】
また、前記携帯電子機器は、前記開口部を介して外部インターフェースに接続される外部インターフェース接続部と、前記外部インターフェース接続部への前記外部インターフェースの着脱を検出する外部インターフェース着脱検出部とを更に備え、前記アクセス制御部は、前記外部インターフェース着脱検出部により出力される外部インターフェースの着脱を検出する検出信号に応じて、前記記憶媒体へのアクセスを制御することが好ましい。
【００１１】
また、前記携帯電子機器は、前記時間設定部により設定された前記経過時間よりも短い所定時間が経過した場合、前記経過時間に到達する直前であることを報知する報知部を更に備えることが好ましい。
【００１２】
また、前記アクセス制御部は、前記記憶媒体に記憶されている情報のうち一部の情報へのアクセスを制限することが好ましい。
【００１３】
また、前記アクセス制御部は、前記記憶媒体に記憶されている情報へのアクセスを全て制限する、又は前記記憶媒体に記憶されている情報を全て消去することが好ましい。
【発明の効果】
【００１４】
本発明によれば、記憶媒体に記憶されている情報のセキュリティを向上させることが可能な携帯電子機器を提供することができる。
【図面の簡単な説明】
【００１５】
【図１】携帯電話機を開いた状態における正面からの外観斜視図である。
【図２】携帯電話機を開いた状態における裏面からの外観斜視図である。
【図３】操作部側筐体におけるバッテリリッドをスライドしてカードが装着された状態が外部に露出した状態を示す図である。
【図４】第１実施形態の携帯電話機の機能を示すブロック図である。
【図５】第１実施形態の携帯電話機の処理を示すフローチャートである。
【図６】第２実施形態の携帯電話機の機能を示すブロック図である。
【図７】第２実施形態の携帯電話機の処理を示すフローチャートである。
【発明を実施するための形態】
【００１６】
＜第１実施形態＞
以下、図面を参照して本発明を実施するための最良の形態を説明する。なお、以下、携帯電子機器として携帯電話機１について説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、電子辞書、携帯音楽再生機等であってもよい。
【００１７】
図１は、携帯電話機１を開いた状態における正面からの外観斜視図である。図２は、携帯電話機１を開いた状態における裏面からの外観斜視図である。図３は、操作部側筐体２におけるバッテリリッド２ｃをスライドしてカード４０ａが装着された状態が外部に露出した状態を示す図である。
【００１８】
図１及び図２に示すように、携帯電話機１は、操作部側筐体２と、表示部側筐体３と、を備える。操作部側筐体２と表示部側筐体３とは、ヒンジ機構を備える連結部４を介して開閉可能に連結されている。具体的には、操作部側筐体２の上端部と表示部側筐体３の下端部とは、連結部４を介して連結されている。これにより、携帯電話機１は、ヒンジ機構を介して連結された操作部側筐体２と表示部側筐体３とを相対的に動かすことが可能になる。つまり、携帯電話機１は、操作部側筐体２と表示部側筐体３とが開いた状態（開状態）にしたり、操作部側筐体２と表示部側筐体３とが折り畳まれた状態（閉状態）にしたりすることができる。ここで、閉状態とは、両筐体が互いに重なるように配置された状態であり、開状態とは、両筐体が互いに重ならないように配置された状態をいう。
【００１９】
操作部側筐体２は、外面がフロントケース２ａとリアケース２ｂとにより構成される。この操作部側筐体２は、フロントケース２ａ側に、操作キー群１１（入力部）と、携帯電話機１の使用者が通話時に発した音声が入力される音声入力部１２とがそれぞれ露出するように構成される。
【００２０】
操作キー群１１は、各種設定や電話帳機能やメール機能等の各種機能を作動させるための機能設定操作キー１３、電話番号の数字やメール等の文字等を入力するための入力操作キー１４、各種操作における決定や上下左右方向のスクロール等を行う決定操作キー１５により構成されている。決定操作キー１５は、環状キー１６と、環状の中央部に形成される中央キー１７とにより構成される。
【００２１】
操作キー群１１を構成する各キーそれぞれには、操作部側筐体２と表示部側筐体３との開閉状態や各種モード、或いは起動されているアプリケーション等の種類に応じて所定の機能が割り当てられている（キー・アサイン）。そして、使用者が各キーを押圧することにより、各キーに割り当てられている機能に応じた動作が実行される。
【００２２】
音声入力部１２は、操作部側筐体２の長手方向における連結部４側と反対の外端部側に配置される。つまり、音声入力部１２は、携帯電話機１が開状態において一方の外端部側に配置される。
【００２３】
操作部側筐体２における一方側の側面には、外部機器（例えば、ＰＣ等）と通信を行うためのインターフェースコネクタ３２（図６参照）が配置されている。インターフェースコネクタ３２は、インターフェースリッド３３により覆われている。
【００２４】
表示部側筐体３は、外面がフロントパネル３ａとフロントケース３ｂとリアケース３ｃとリアパネル３ｄとにより構成される。表示部側筐体３におけるフロントケース３ｂには、各種情報を表示するための表示部２１と、通話の相手側の音声を出力する音声出力部２２と、が露出するように形成される。また、リアパネル３ｄには、各種情報を表示するためのサブ表示部２３と、ＬＥＤ２４（発光部）と、が露出するように形成される。
【００２５】
次いで操作部側筐体２及び表示部側筐体３の内部構造について説明する。
操作部側筐体２は、フロントケース２ａと、キー構造部と、フレキシブル配線基板と、シールドケース体と、基準電位パターン層及び携帯電話機用のＲＦ（Ｒａｄｉｏ  Ｆｒｅｑｕｅｎｃｙ）モジュール等の各種電子部品を備える回路基板と、音声入力部１２と、リアケース２ｂと、バッテリ６０（第１のバッテリ）とを備える。
【００２６】
リアケース２ｂには、ユーザの音声を入力する音声入力部１２が収容される。また、図３に示すように、リアケース２ｂには、操作部側筐体２にスライド係合可能なバッテリリッド２ｃが設けられている。
【００２７】
また、リアケース２ｂは、バッテリリッド２ｃが取り付けられた状態において、バッテリリッド２ｃにより被覆される領域に、操作部側筐体２の下端部（連結部４とは反対側の端部）側からバッテリ収容部６０ａとカードコネクタ用開口部６５ｃとが形成されている。また、リアケース２ｂのバッテリリッド２ｃと対向する位置には、着脱検出部７０が形成されている。
【００２８】
操作部側筐体２の内部に配置される回路基板（図示せず）は、リアケース２ｂに対向する側の実装面のカードコネクタ用開口部６５ｃに対応する位置に、カードコネクタ４０が実装（配設）されている。このカードコネクタ４０は、ＵＩＭカード、ＳＩＭカード、外部メモリカード等の携帯電話機１で使用されるカード４０ａ（記憶媒体）が装着される。これにより、カードコネクタ４０は、カード４０ａ内部のメモリと回路基板上の電子部品（ＣＰＵ等）とを電気的に接続する。すなわち、カード４０ａは、カードコネクタ４０に着脱可能に構成されている。
【００２９】
また、回路基板（図示せず）には、カード４０ａとは別に内部メモリ５０（図４参照）と、この内部メモリ５０に電力を供給するボタン電池等の補助バッテリ９０（第２のバッテリ、図４参照）が実装されている。
【００３０】
バッテリ６０は、リアケース２ｂに形成されるバッテリ収容部６０ａにリアケース２ｂの外側から収容される。そして、バッテリ６０は、バッテリ収容部６０ａに収納された状態でカードコネクタ４０（カード４０ａ）を操作部側筐体２の外部から隠蔽する。
【００３１】
バッテリ６０が収容された後、バッテリリッド２ｃは、リアケース２ｂにスライド係合して装着される。逆に、バッテリリッド２ｃを外側にスライドさせることで、バッテリリッド２ｃを操作部側筐体２から取り外すことができる。
【００３２】
このようにバッテリ６０は、リアケース２ｂに取り付けられるバッテリリッド２ｃにより被覆されることとなる。また、バッテリ６０がバッテリ収容部６０ａに収容されている状態において、カードコネクタ４０へのカード４０ａの装着及び取り外しができない状態となっている。
【００３３】
図４は、第１実施形態の携帯電話機１の機能を示すブロック図である。
図４に示すように、携帯電話機１は、操作キー群１１と、通信部３７と、カード４０ａと、内部メモリ５０と、バッテリ６０と、バッテリリッド２ｃと、着脱検出部７０と、計時部８０と、補助バッテリ９０と、制御部１００と、表示部２１と、音声出力部２２と、サブ表示部２３と、ＬＥＤ２４と、を備える。
【００３４】
通信部３７は、アンテナ３５と、ＲＦ回路部３６とを備え、所定の通信先と通信を行う。通信部３７が通信を行う通信先としては、携帯電話機１と電話やメールの送受信を行う外部の端末装置や、携帯電話機１がインターネットの接続を行う外部のＷｅｂサーバ等の外部装置が挙げられる。
【００３５】
ＲＦ回路部３６は、アンテナ３５によって受信した信号を復調処理し、処理後の信号を制御部１００に供給する。また、ＲＦ回路部３６は、制御部１００から供給された信号を変調処理し、アンテナ３５を介して外部装置（基地局）に送信する。
【００３６】
着脱検出部７０は、バッテリリッド２ｃの操作部側筐体２に対する着脱を検出する。
計時部８０は、タイマ等で構成される。なお、計時部８０は、制御部１００に内蔵されていてもよい。
【００３７】
制御部１００は、ＣＰＵ（中央演算装置）等で構成され、携帯電話機１全体を制御する。また、制御部１００は、時間設定部１０１と、判定部１０２と、アクセス制御部１０３と、を備える。
【００３８】
次に、第１実施形態の携帯電話機１によりカード４０ａに記憶された情報を保護する処理について説明する。
時間設定部１０１は、計時部８０により計時されるバッテリリッド２ｃが外されてからの経過時間Ｔ１を、操作キー群１１の操作により任意の時間に設定する。ここで、設定される経過時間Ｔ１は、操作キー群１１の操作により暗証情報を入力するために必要な時間であることが好ましい。
【００３９】
計時部８０は、着脱検出部７０によりバッテリリッド２ｃが外されたことが検出された場合、時間の計測を開始する。
判定部１０２は、時間設定部１０１により設定された経過時間Ｔ１以内に操作キー群１１により暗証番号等の暗証情報が入力され、かつ、入力された暗証情報と予め内部メモリ５０に記憶されている暗証情報とが一致するか否かを判定する。
【００４０】
アクセス制御部１０３は、カード４０ａへのアクセスを制御する。具体的には、アクセス制御部１０３は、判定部１０２により経過時間Ｔ１以内に暗証情報が入力され、かつ、入力された暗証情報と予め内部メモリ５０に記憶されている暗証情報とが一致すると判定された場合、カード４０ａへのアクセスを可能な状態に維持する。
また、アクセス制御部１０３は、判定部１０２により経過時間Ｔ１以内に暗証情報が入力されなかった、又は暗証情報が一致しなかったと判定された場合、カード４０ａへのアクセスを制限する。
【００４１】
ここで、「カード４０ａへのアクセスを制限する」とは、カード４０ａに記憶されている情報を消去することや、カード４０ａに記憶されている情報を暗号化して、カード４０ａに記憶されている情報に不正にアクセスすることを防ぐこと等をいう。
【００４２】
このように第１実施形態の携帯電話機によれば、アクセス制御部１０３は、バッテリリッド２ｃが外されてから経過時間Ｔ１以内に暗証情報が入力されない場合、カード４０ａへのアクセスを制限する。これにより、携帯電話機１は、カード４０ａに記憶されている情報を不正に入手することが困難になり、カード４０ａに記憶されている情報のセキュリティを向上させることができる。
【００４３】
また、アクセス制御部１０３は、バッテリリッド２ｃが外され、かつ、経過時間Ｔ１以内にバッテリ６０が外された場合、補助バッテリ９０に蓄積された電力を用いてカード４０ａへのアクセスを制御する。なお、アクセス制御部１０３は、バッテリ６０から電力が供給されているか否かでバッテリ６０が外されているか否かを判定する。
【００４４】
このように第１実施形態の携帯電話機によれば、補助バッテリ９０に蓄積された電力を用いてカード４０ａへのアクセスを制御するため、バッテリ６０が外されて電力の供給が遮断された状態でも、カード４０ａに記憶されている情報のセキュリティを確保することができる。
【００４５】
また、着脱検出部７０は、バッテリリッド２ｃと操作部側筐体２との接触の有無によりバッテリリッド２ｃの着脱を検出する機構スイッチ、又はバッテリリッド２ｃの着脱を非接触で検出する非接触センサであってもよい。
【００４６】
ここで、非接触センサとしては、赤外線発光部及び赤外線受光部を有し、赤外線受光部で受光される赤外線の強度に基づいてバッテリリッド２ｃの着脱を検出する赤外線センサや、発光部及び受光部を有し、発光部から発光される光と受光部で受光される光との位相差に基づいて、受光部で受光される光が反射された対象物までの距離を演算し、バッテリリッド２ｃの着脱を検出する距離センサ等が挙げられる。
【００４７】
このように第１実施形態の携帯電話機１によれば、着脱検出部７０は、機構スイッチ又は非接触センサで構成されるため、携帯電話機１は、バッテリリッド２ｃの着脱を好適に検出できる。
【００４８】
また、携帯電話機１は、時間設定部１０１により設定された経過時間Ｔ１よりも短い所定時間Ｔ２が経過した場合、経過時間Ｔ１に到達する直前であることを報知する報知部２５を備えていてもよい。
例えば、報知部２５は、経過時間Ｔ１が３０秒であり、所定時間Ｔ２が２５秒である場合には、２５秒経過後、３０秒に到達するまでに１秒ごとに報知（カウントダウン）を行ってもよい。
【００４９】
このように第１実施形態の携帯電話機１によれば、報知部２５は、所定時間Ｔ２が経過した場合、経過時間Ｔ１に到達する直前であることを報知するため、ユーザは、経過時間Ｔ１に到達すること直前であることを認識できる。
【００５０】
また、報知部２５は、所定の音（音声）を出力する音声出力部２２、光を出射するＬＥＤ２４、又は所定の画像を表示するサブ表示部２３のうちのいずれかであってもよい。
【００５１】
例えば、音声出力部２２は、経過時間Ｔ１が３０秒であり、所定時間Ｔ２が２５秒である場合には、２５秒経過後、３０秒に到達するまでに１秒ごとに所定の音を出力してカウントダウンを行ってもよい。
【００５２】
同様に、ＬＥＤ２４は、２５秒経過後、３０秒に到達するまでに１秒ごとに光を出射してカウントダウンを行ってもよい。また、サブ表示部２３は、２５秒経過後、３０秒に到達するまでに１秒ごとに所定の画像を表示してもよい。これにより、携帯電話機１は、経過時間に到達する直前であることを好適に報知できる。
【００５３】
また、アクセス制御部１０３は、カード４０ａに記憶されている情報のうち一部の情報へのアクセスを制限してもよい。ここで、一部の情報とは、ＩＤ情報や、電話帳、ユーザによりアクセスを制限する対象として設定された情報等のユーザにとって秘匿性の高い情報が挙げられる。
【００５４】
これにより、携帯電話機１は、カード４０ａに記憶されている情報のうち、特に秘匿性の高い情報の漏洩を防ぐことができる
【００５５】
また、アクセス制御部１０３は、カード４０ａに記憶されている情報へのアクセスを全て制限する、又はカード４０ａに記憶されている情報を全て消去してもよい。これにより、携帯電話機１は、カード４０ａに記憶されている情報の漏洩を確実に防ぐことができる。
【００５６】
図５は、第１実施形態の携帯電話機１の処理を示すフローチャートである。なお、図５に示すフローチャートでは時間設定部１０１により予め経過時間Ｔ１が設定されているものとする。
【００５７】
ステップＳ１において、制御部１００は、着脱検出部７０によりバッテリリッド２ｃが外されたことが検出されたか否かを判定する。バッテリリッド２ｃが外されたことが検出された場合（ＹＥＳ）には、ステップＳ２へ進む。バッテリリッド２ｃが外されたことが検出されない場合（ＮＯ）には、再度ステップＳ１の処理を繰り返す。
【００５８】
ステップＳ２において、計時部８０は、着脱検出部７０によりバッテリリッド２ｃが外されたことが検出された場合、時間の計測を開始する。
ステップＳ３において、制御部１００は、表示部２１に暗証情報を入力する暗証情報入力画面を表示させる。
【００５９】
ステップＳ４において、判定部１０２は、時間設定部１０１により設定された経過時間Ｔ１以内に操作キー群１１により暗証情報が入力され、かつ、入力された暗証情報と予め内部メモリ５０に記憶されている暗証情報とが一致するか否かを判定する。経過時間Ｔ１以内に暗証情報が入力され、かつ、入力された暗証情報と予め内部メモリ５０に記憶されている暗証情報とが一致すると判定された場合（ＹＥＳ）には、ステップＳ５へ進む。経過時間Ｔ１以内に暗証情報が入力されなかった、又は暗証情報が一致しなかった場合（ＮＯ）には、ステップＳ６へ進む。
【００６０】
ステップＳ５において、アクセス制御部１０３は、カード４０ａへのアクセスを可能な状態に維持する。
ステップＳ６において、アクセス制御部１０３は、バッテリ６０が外されたか否かを判定する。バッテリ６０が外された場合（ＹＥＳ）には、ステップＳ７へ進む。バッテリ６０が外されていない場合（ＮＯ）には、ステップＳ４へ戻る。
ステップＳ７において、アクセス制御部１０３は、補助バッテリ９０に蓄積された電力を用いてカード４０ａへのアクセスを制限する。
【００６１】
このように第１実施形態の携帯電話機１によれば、アクセス制御部１０３は、バッテリリッド２ｃが外されてから経過時間Ｔ１以内に暗証情報が入力されない場合、カード４０ａへのアクセスを制限する。これにより、携帯電話機１は、カード４０ａに記憶されている情報を不正に入手することが困難になり、カード４０ａに記憶されている情報のセキュリティを向上させることができる。
【００６２】
＜第２実施形態＞
次に、本発明の携帯電子機器の第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００６３】
第２実施形態の携帯電話機１は、インターフェースリッド３３（カバー部材）が外され、インターフェースコネクタ３２に通信ケーブル３４が接続された場合に内部メモリ５０及びカード４０ａに記憶されている情報へのアクセスを制限する点が第１実施形態とは異なる。
【００６４】
図６は、第２実施形態の携帯電話機１の機能を示すブロック図である。
第２実施形態の携帯電話機１は、第１実施形態の着脱検出部７０に代えて、インターフェースリッド３３が操作部側筐体２に対して着脱されたことを検出する着脱検出部１１０と、インターフェースコネクタ３２（外部インターフェース接続部）に通信ケーブル３４（外部インターフェース）が接続されたことを検出する外部インターフェース着脱検出部１０４と、を備えている。なお、他の構成は、第１実施形態の構成と同様である。
【００６５】
また、第２実施形態の携帯電話機１では、内部メモリ５０及びカード４０ａに記憶された情報を不正に入手しようとした者が、バッテリ６０を外して携帯電話機１を、電源を有さない１つの記憶媒体として用い、通信ケーブル３４により携帯電話機１へ電力を供給することによって、内部メモリ５０及びカード４０ａに記憶された情報を不正に入手しようとしている状況を想定している。
【００６６】
外部インターフェース着脱検出部１０４は、通信ケーブル３４により電力が供給されているか否かでインターフェースコネクタ３２に通信ケーブル３４が外されているか否かを判定する。
着脱検出部１１０は、第１実施形態の着脱検出部７０と同様に、機構スイッチ、又は非接触センサで構成されている。
【００６７】
計時部８０は、着脱検出部１１０によりインターフェースリッド３３が外されたことが検出され、かつ、外部インターフェース着脱検出部１０４によりインターフェースコネクタ３２に通信ケーブル３４が接続されたことが検出された場合、時間の計測を開始する。
【００６８】
判定部１０２は、時間設定部１０１により設定された経過時間Ｔ１以内に操作キー群１１により暗証番号等の暗証情報が入力されたか否かを判定する。また、判定部１０２は、入力された暗証情報と予め内部メモリ５０に記憶されている暗証情報とが一致するか否かを判定する。
【００６９】
アクセス制御部１０３は、内部メモリ５０及びカード４０ａへのアクセスを制御する。すなわち、アクセス制御部１０３は、判定部１０２により経過時間Ｔ１以内に暗証情報が入力され、かつ、入力された暗証情報と予め内部メモリ５０に記憶されている暗証情報とが一致すると判定された場合、内部メモリ５０及びカード４０ａへのアクセスを可能な状態に維持する。
また、アクセス制御部１０３は、判定部１０２により経過時間Ｔ１以内に暗証情報が入力されなかった、又は暗証情報が一致しないと判定された場合、内部メモリ５０及びカード４０ａへのアクセスを制限する。
【００７０】
図７は、第２実施形態の携帯電話機１の処理を示すフローチャートである。なお、図７に示すフローチャートでは時間設定部１０１により予め経過時間Ｔ１が設定されているものとする。
【００７１】
ステップＳ１１において、制御部１００は、着脱検出部１１０によりインターフェースリッド３３が外されたことが検出されたか否かを判定する。インターフェースリッド３３が外されたことが検出された場合（ＹＥＳ）には、ステップＳ１２へ進む。インターフェースリッド３３が外されたことが検出されない場合（ＮＯ）には、再度ステップＳ１１の処理を繰り返す。
【００７２】
ステップＳ１２において、外部インターフェース着脱検出部１０４は、インターフェースコネクタ３２に通信ケーブル３４が接続されたことが検出されたか否かを判定する。インターフェースコネクタ３２に通信ケーブル３４が接続されたことが検出された場合（ＹＥＳ）には、ステップＳ１３へ進む。インターフェースコネクタ３２に通信ケーブル３４が接続されたことが検出されない場合（ＮＯ）には、再度ステップＳ１２の処理を繰り返す。
【００７３】
ステップＳ１３において、計時部８０は、着脱検出部１１０によりインターフェースリッド３３が外されたことが検出され、かつ、外部インターフェース着脱検出部１０４によりインターフェースコネクタ３２に通信ケーブル３４が接続されたことが検出されたため、時間の計測を開始する。
【００７４】
ステップＳ１４において、制御部１００は、表示部２１に暗証情報を入力する暗証情報入力画面を表示させる。
【００７５】
ステップＳ１５において、判定部１０２は、時間設定部１０１により設定された経過時間Ｔ１以内に操作キー群１１により暗証情報が入力され、かつ、入力された暗証情報と予め内部メモリ５０に記憶されている暗証情報とが一致するか否かを判定する。経過時間Ｔ１以内に暗証情報が入力され、かつ、入力された暗証情報と予め内部メモリ５０に記憶されている暗証情報とが一致した場合（ＹＥＳ）には、ステップＳ１６へ進む。経過時間Ｔ１以内に暗証情報が入力されなかった、又は暗証情報が一致しなかった場合（ＮＯ）には、ステップＳ１７へ進む。
【００７６】
ステップＳ１６において、アクセス制御部１０３は、内部メモリ５０及びカード４０ａへのアクセスを可能な状態に維持する。
ステップＳ１７において、アクセス制御部１０３は、バッテリ６０が外されたか否かを判定する。バッテリ６０が外された場合（ＹＥＳ）には、ステップＳ１８へ進む。バッテリ６０が外されていない場合（ＮＯ）には、ステップＳ１５へ戻る。
ステップＳ１８において、アクセス制御部１０３は、補助バッテリ９０に蓄積された電力を用いて内部メモリ５０及びカード４０ａへのアクセスを制限する。
【００７７】
このように本実施形態の携帯電話機１によれば、アクセス制御部１０３は、インターフェースリッド３３が外されたことが検出され、かつ、インターフェースコネクタ３２に通信ケーブル３４が接続されたことが検出されてから経過時間Ｔ１以内に暗証情報が入力されず、かつ、バッテリ６０が外された場合、内部メモリ５０及びカード４０ａへのアクセスを制限する。これにより、携帯電話機１は、内部メモリ５０及びカード４０ａに記憶されている情報を不正に入手することが困難になり、内部メモリ５０及びカード４０ａに記憶されている情報のセキュリティを向上させることができる。
【００７８】
以上、本発明の実施形態について説明したが、本発明は上述した実施形態に制限されるものではなく、適宜変更が可能である。
【００７９】
また、上述した実施形態において、携帯電子機器としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００８０】
１  携帯電話機（携帯電子機器）
２ｃ  バッテリリッド
１１  操作キー群（入力部）
４０ａ  カード（記憶媒体）
６０  バッテリ（第１のバッテリ）
７０  着脱検出部
８０  計時部
９０  補助バッテリ（第２のバッテリ）
１０１  時間設定部
１０２  判定部
１０３  アクセス制御部
【図１】
2011250129.tif 000003
【図２】
2011250129.tif 000004
【図３】
2011250129.tif 000005
【図４】
2011250129.tif 000006
【図５】
2011250129.tif 000007
【図６】
2011250129.tif 000008
【図７】
2011250129.tif 000009